(57)【要約】【課題】携帯型無線通信機のスピーカーに、スピーカーグリル内に浸入した水を排水するのに充分な音圧が得られるようにする。【解決手段】スピーカー１５に、ＡＦアンプ１７の印加電圧を音声信号出力時より高くしたのち、前記アンプ１７に音声信号に代えて低周波の連続した排水信号を入力する。こうすることで、ＡＦアンプ１７の印加電圧を音声信号出力時より高くしてスピーカーへの出力電圧の振幅を大きくする。また、前記アンプ１７に音声信号に代えて低周波の連続した信号を入力して、スピーカーが高い音圧を発生できるようにして、その音圧でもってスピーカーグリル内に浸入した水を排水する。【選択図】図３
2011041292.tif 000002
【特許請求の範囲】
【請求項１】
携帯無線通信機であって、
スピーカーと、
前記スピーカーの前面に位置するスピーカーグリルと、
前記スピーカーに接続された出力アンプと、
受信した音声信号の音量を調整する音量調整手段と、
所定音量の排水信号を生成する排水信号生成手段と、
出力アンプに入力される信号を、音量調節手段の出力と排水信号の生成手段の出力とで切り替える信号切替回路と、
排水機能を作動させる制御ユニットと、
を備え、
前記制御ユニットは、前記排水機能が作動させられたとき、排水信号生成手段を作動させるとともに、排水信号生成手段の出力を出力アンプに入力させるように前記切替回路を制御するようにすることで、音量制御手段の音量設定に関わらず、スピーカーを一定音量の排水信号で振動させてスピーカーグリル内の侵入水を排水するようにした携帯型無線通信機。
【請求項２】
上記出力アンプの印加電圧の印加時間と低周波信号の入力時間を設定するタイマ手段を備えた請求項1に記載の携帯型無線通信機。
【請求項３】
上記グリルとそのグリルの内側に装着した異物侵入防止ネットとの間に排水路を設けた請求項１または２に記載の携帯型無線通信機。
【請求項４】
上記低周波信号の生成をマイクロプロセッサのプログラムで行うようにした請求項1乃至３のいずれかに記載の携帯型無線通信機。
【発明の詳細な説明】
【技術分野】
【０００１】
この発明は、防水に対応した携帯型無線通信機に関するものである。
【背景技術】
【０００２】
音声を出力できるようにスピーカーを備えた携帯型無線通信機では、防水に対応したものでも、スピーカーの前面にグリルなどを設けて保護している。そのため、前記通信機が水没すると、グリル内に水が浸入して音が出なくなる問題があった。
【０００３】
これは、フロントグリル内に、例えば雨水や海水が大量に浸入すると、浸入した水の表面張力で前記グリルの格子に膜が形成されてしまい音が出なくなるからである。そのため、軽く衝撃を加えたり、乾燥させたりして侵入した水を排水してからでないと、使用できないという問題があった。
【０００４】
この問題を解決する一つの方法として、(特許文献１)には、図５のように、低周波発振回路１から、所定周波数の電気信号をアンプ２へ入力して、スピーカー３を作動するものが記載されている。このものは、スピーカー３を作動した作動音圧で直接グリル４の内側に侵入した異物を直接除去したり、あるいは、グリル４の内側に設けた防水膜（侵入防止膜）５を共振周波数で振動させて、防水膜５に付着した水やその他の異物を払い飛ばして除去したりするというものである。
【先行技術文献】
【特許文献】
【０００５】
【特許文献１】特開２０００−２０１３８８号公報
【発明の概要】
【発明が解決しようとする課題】
【０００６】
しかしながら、上記のスピーカーの作動音圧で直接グリル内の異物を除去するものでは、異物が除去されてグリル内から徐々に減少していくと、異物の減少した空隙から作動音圧が抜けて、残った異物に充分に音圧を与えられなくなり、最後まで除去し切れない問題がある。
【０００７】
一方、防水膜を共振周波数で振動させるものでは、低い音圧でも防水膜を振動させることはできるが、スピーカーからグリル内の空気に伝わった振動が、防水膜に伝達し、その防水膜を介して外界に音響を伝えるので、外界に音響が伝わるまでのエネルギー損失が大きく、音圧が充分に出ないので、水やその他の異物を除去する効果が充分ではない問題がある。
【０００８】
そこで、この発明の課題は、スピーカーグリル内に浸入した水を排水する充分な音圧が得られるようにすることである。
【課題を解決するための手段】
【０００９】
上記の課題を解決するため、この発明では、内蔵スピーカーに、出力アンプの印加電圧を音声信号出力時より高くしたのち、前記アンプに音声信号に代えて低周波の連続した信号を入力するという構成を採用したのである。
【００１０】
このような構成を採用することにより、出力アンプの印加電圧を音声信号出力時より高くしてスピーカーへの出力電圧の振幅を大きくする。また、前記アンプに音声信号に代えて低周波の連続した信号を入力して、スピーカーが音声信号出力時よりも高い音圧を発生できるようにして、その音圧でもって排水する。
【００１１】
このとき、上記高い電圧の印加時間と低周波信号の入力時間を設定するタイマ手段を備えた構成を採用すれば、所定時間で排水動作を止められるので無駄な電力消費を抑えられる。
【００１２】
また、上記グリルとグリルの内側に装着した異物侵入防止ネットとの間に排水路を設けた構成を採用することにより、前記排水路によってもグリルの排水が可能なので排水時間の短縮が図れる。
【００１３】
また、上記低周波信号の生成をマイクロプロセッサのプログラムで行うようにした構成を採用することにより、周波数の変更がプログラムの書き換えで簡単に行える。そのため、例えば、スピーカーの特性や前記グリル内の容量が変わっても簡単に対応できる。
【発明の効果】
【００１４】
この発明は、以上のように構成したことにより、スピーカーグリル内に水が浸入してもスピーカーを振動させることにより排水して除去できる。また、このように、スピーカーを振動させることで排水できるので、通信中に水中に落とした場合や、突然高い水圧が与えられてスピーカーグリルの内部に水が浸入した場合でも、短期間で通信が可能な状態に復帰させることができる。
【図面の簡単な説明】
【００１５】
【図１】実施形態の正面図
【図２】図１の要部の拡大断面図
【図３】実施形態のブロック図
【図４】実施形態のフローチャート
【図５】従来例のブロック図
【発明を実施するための形態】
【００１６】
以下、この発明の最良の実施の形態を図面に基づいて説明する。
【００１７】
図１に示すように、この形態の携帯型無線通信機は、液晶画面１０と操作スイッチ１１を設けたフロントパネル１２の下方に、スピーカーグリル１３を設けた構造となっており、マイクや外部スピーカーなども接続できる構造となっている。
【００１８】
この形態のスピーカーグリル１３は、横方向に形成されたスリット状のものを複数本並列に設けたもので、この各スリットは、図２のように、斜め下方向へ向けて開口させた構造となっており、水の浸入を抑制するようにしてある。
【００１９】
このスリットで構成される前記グリル１３の内側には、図２に示すように、異物侵入防止ネット１４が取り付けられており、その後方に内部スピーカー１５を配置した構成となっている。
【００２０】
また、このグリル１３と異物侵入防止ネット１４の間には、隙間を設けて縦方向の排水路１６を形成してある。
【００２１】
前記スピーカー１５は、防水型のものを使用しており、図３のように、ＡＦアンプ１７と接続されている。前記ＡＦアンプ１７は、信号切替回路１８ｂおよび電源電圧切替回路２１と接続されており、前記信号切替回路１８ｂは音量調節手段１９に、前記音量調節手段１９は信号切替回路１８ａに、前記信号切替回路１８ａは受信復調回路２０にそれぞれ接続されている。また、前記電源電圧切替回路２１と信号切替回路１８ａ、ｂは、ＣＰＵ（マイクロコンピュータ）２２に接続されている。このＣＰＵ２２は、操作スイッチ１１とも接続されている。
【００２２】
前記ＡＦアンプ１７は、スピーカー１５を作動するためのオーディオ用のアンプである。
【００２３】
また、信号切替回路１８ｂは、後述する排水補助機能の動作の有無に応じて、前記ＡＦアンプ１７へ入力する信号を音量調整手段１９から出力される信号か、あるいは、ＣＰＵ２２から出力する排水信号（ＢＥＥＰＬＩＮＥｂ）のいずれかに切り替えるためのものである。
【００２４】
ちなみに、信号切替回路１８ｂには、外部出力用のＡＦアンプ２３が接続されている。外部出力端子２４に外部スピーカー、あるいはイヤホーンが接続されていると、受信復調信号の出力先を外部出力用のＡＦアンプ２３へ切り替える。また、前記ＡＦアンプ２３は、電源電圧切替回路２１に接続されており、外部スピーカーやイヤホーンの出力に合わせた電源電圧が供給できるようになっている。
【００２５】
音量調節手段１９は、受信復調回路２０からの受信信号（音声信号）の音量を調節するためのものである。ここでは、この音量調節手段１９を、図３のように、信号切替回路１８ｂの前段に設けたことで、排水信号は音量調節手段１９を経由しないようにしてある。このようにしたことで、排水信号は、音量調節手段１９の音量設定に関わらず一定レベルの出力が信号切替回路１８ｂへ入力するようにしてある。
【００２６】
信号切替回路１８ａは、音量調整手段１９へ入力する信号を受信復調回路２０からの信号か、あるいは、ＣＰＵ２２から出力するＢＥＥＰ信号（ＢＥＥＰＬＩＮＥａ）のいずれかに切り替える。ちなみに、ここでのＢＥＥＰ信号（ＢＥＥＰ ＬＩＮＥａ）は、操作音などに用いられるものである。
【００２７】
受信復調回路２０は、受信回路と復調回路から構成されるもので、受信信号を復調し、音声信号を音量調節手段１９へ出力する。
【００２８】
電源電圧切替回路２１は、ＡＦアンプ１７の電源電圧を排水補助機能の動作中か否かに応じて切り替えるためのものである。この形態の無線通信機では、通信系に７Ｖの電圧を供給し、それ以外の制御系及びオーディオ系に５Ｖを供給する２電圧式で、ここでは、通信系へ供給する７Ｖの電池出力Ｖｃｃを分圧して制御系及びオーディオ系に供給するようにしている。そのため、図３の符号２１で模式的に示すように、例えば、スイッチ回路で分圧回路をバイパスすることにより、通常、音声通信時に５ＶのＡＦアンプ１７の電源電圧を、排水補助機能の動作時に７〜８Ｖ（動作時の前記アンプの電池電圧）にする。すると、前記スピーカー１５の出力は、通常の音声出力時に０．８Ｗ程度であったものが排水補助機能の動作時には、１．８〜２．０Ｗ程度にすることができる。このように電源電圧を上昇させることで、スピーカー１５の出力を大きくして高い音圧を得られるようにしてある。
【００２９】
また、電源電圧切替回路２１には、このように分圧回路をバイパスするものに代えて、図３の符号２１´で示すように昇圧回路（例えば、チャージポンプなど）を設けて、ＡＦアンプ１７へ排水補助機能の動作時に高い電圧を印加するようにしてもよい。このようにすると、通信系と制御系及びオーディオ系との電圧が同じ場合でもＡＦアンプ１７に高い電圧を供給できるので好都合である。なお、スピーカー１５には、この出力に耐えるものを採用するのは当然である。
【００３０】
ＣＰＵ２２は、制御用に設けたもので、通信制御やスイッチなどの操作系の制御と同時に、電源電圧切替回路２１を制御して排水補助機能の動作に合わせてＡＦアンプ１７の電源電圧を切替える。すなわち、ＡＦアンプ１７の電源電圧を排水機能に合わせて高くする。
【００３１】
また、ＣＰＵ２２は、信号切替回路１８を制御して、ＡＦアンプ１７への入力信号を切り替える。すなわち、ＡＦアンプ１７への入力信号を、音量調節手段１９を介して受信復調回路２０から入力される音声信号と、ＣＰＵ２２が自ら出力する排水信号（例えば、ＢＥＥＰ音などの２００Ｈｚ程度の低周波信号：この信号の周波数は、スピーカー１５の特性、前記グリル１３内の容量、その他、通信機の形状に合わせて適宜決められるものである。）を切替えて入力する。
【００３２】
さらに、ＣＰＵ２２は、排水機能の動作をストップさせるタイマ手段（内蔵）を備えている。前記タイマ手段は、排水補助機能の動作の開始と同時に計時を開始する。そして、計時がタイムアップすると電源電圧切替回路２１を元の状態に切り替える。
【００３３】
このようなＣＰＵ２２による制御は、ＣＰＵ２２に記憶させる制御プログラムよって実現できる。そのため、前記プログラムを書き換えることで、例えば、無線通信機に使用するスピーカー１５やスピーカーグリル１３内の容量などによって排水信号の周波数やタイムアップの時間を適宜調整して最適な値にできる。
【００３４】
操作スイッチ１１は、排水補助機能を開始させるためのもので、ここでは、例えば、「Ｃｔｒｌ＋Ｈｉ／Ｌｏ」（これ以外でも番号キーや符号キーなどどの様なキーでも可）など複数のキーを組み合わせて操作する。このように複数のキーを組み合わせて作動させるようにしたことにより、間違って通常の無線通信機の操作に影響を与えないようにしてある。このキー操作は、ＣＰＵ２２が読み込んで処理を実行する。
【００３５】
この形態は、上記のように構成されており、次に、排水補助機能についての動作を図４のフローチャートに基づいて説明する。
【００３６】
例えば、この通信機を水没させた場合には、まず、この通信機を作動(パワーオン)する（「処理」１００：以下、「処理」省略）。すると、ＣＰＵ２２が受信中かどうかをチェックする(１１０)。このとき、受信中でなければ、送信中である(１２０)。
【００３７】
また、処理１１０で、受信中の場合には、外部スピーカーやマイクが接続されていないかをチェックする(１３０)。このとき、外部スピーカーやマイクが接続されていた場合は、排水補助機能を禁止して(１４０)、電源電圧切替回路２１を切り替えて、ＡＦアンプ１７の電源電圧を排水時の高い電圧(例えば、7〜８Ｖ程度)に切り替えたのち、信号切替回路１８を切り替えて、受信復調回路２０からの受信復調信号をＡＦアンプ２３へ入力し(１５０)、外部出力端子２４へ出力する (１６０)。
【００３８】
また、先の処理１３０で外部スピーカーやマイクが接続されていなかった場合は、排水補助機能を作動させるキー操作が行われているかどうかをチェックする (１７０)。このとき、キー操作が行われていなかった場合は、電源電圧切替回路２１でＡＦアンプ１７の電源電圧を通常の通信状態の電圧に切り替えたのち (例えば５Ｖ)、受信復調回路２０の出力信号を、信号切替回路１８からＡＦアンプ１７へ入力し (１８０)、内部スピーカーから出力する(１９０)。
【００３９】
一方、処理１７０でキー操作が行われた場合は、電源電圧切替回路２１を切り替えて、ＡＦアンプ１７の電源電圧を排水時の高い電圧(例えば、7〜８Ｖ程度)に切り替えたのち、信号切替回路１８を切り替えて、ＣＰＵ２２から排水用のＢＥＥＰ音などの低周波信号をＡＦアンプ１７へ入力し(２００)、前記低周波信号でスピーカー１５を駆動する(２１０)。
【００４０】
この間、スピーカー１５の振動板の前面からは、前記グリル１３の間に浸入した水の一部が、機器本体を動かすことにより、前記グリル１３に設けた排水路１６を通って排水される。具体的には、振動板の曲面の内部に溜まった水や異物侵入防止ネット上に表面張力で膜になって溜まっている水の一部が排水される。次に、排水補助機能が機能を始め、スピーカー１５が作動すると、作動したスピーカー１５の音圧によって、前記グリル１３から水が噴き出し始める。
【００４１】
排水補助機能を作動させた当初は、前記グリル１３内を水が満たしているので、その間は、排水用信号のＢＥＥＰ音は外部に伝わらず、排水のみが行われる。そして、水が無くなると、排水信号の音が聞こえ始める。９〜１０秒程度経過すると、ＣＰＵ２２のタイマ手段がタイムアップしてＢＥＥＰ音は自動的に終了する。そのため、この動作時間内に排水信号の音声が聞こえれば、排水が完了したのである。
【００４２】
このように、排水時にＡＦアンプ１７の電源電圧を高くして、ＡＦアンプ１７に低周波の信号を入力するようにしたので、通信中に比べて高い（例えば、２倍またはそれ以上の）音圧をグリル内の浸入水に与えることができる。そのため、高い排水効果を得ることができる。
【００４３】
また、この形態では、音量調節手段１９を、信号切替回路１８と受信復調回路２０の間に設けたので、排水補助機能の動作時には、排水信号は音量調節手段１９を経ることなく、ＡＦアンプ１７で増幅されて、スピーカー１５へ入力される。従って、音声受信時の音量の大小に係らず、排水信号は一定の音量で出力されるので、操作ミスによる排水能力の低下を起こすことが無く、常に、決められた排水能力を発揮することができる。
【００４４】
また、高い音圧が得られるので、機器本体を寝かせた状態でも排水できる。そのため、船上など揺れる場所で排水させる際にも机上において排水させることができるので好都合である。
【００４５】
また、長期間通信に使用しない場合に、排水補助機能を動作させれば、スピーカー１５を活性化させて経年変化を防ぐ効果も有しており、スピーカーのメンテナンスに用いることもできる。
【符号の説明】
【００４６】
１３ スピーカーグリル
１６ 排水路
１７ ＡＦアンプ
１８ 信号切替回路
１９ 音量調節手段
２０ 受信復調回路
２１ 電源電圧切替回路
２２ ＣＰＵ
【図１】
2011041292.tif 000003
【図２】
2011041292.tif 000004
【図３】
2011041292.tif 000005
【図４】
2011041292.tif 000006
【図５】
2011041292.tif 000007
【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
携帯型無線通信機であって、
受信した音声信号の音量を調整する音量調整手段（１９）と、
所定音量の排水信号を生成する排水信号生成手段（２２）と、
排水動作を制御する制御手段（２２）と、
前記音量調整手段（１９）の出力と排水信号生成手段（２２）の出力が入力され、その入力された音量調整手段（１９）の出力と排水信号生成手段（２２）の出力の一方を制御手段（２２）からの切替信号（ｂ）で切り替えて出力する信号切替回路（１８ｂ）と、
前記切替回路（１８ｂ）の出力が入力される出力アンプ（１７）と、
前記出力アンプ（１７）の出力が入力されるスピーカー（１５）と、
前記スピーカー（１５）の前面に配置されたスピーカーグリル（１３）を備え、
前記制御手段（２２）は、排水動作を開始すると、排水信号生成手段（２２）を作動して排水信号を生成するとともに、切替信号（ｂ）を出力して排水信号生成手段（２２）の排水信号を出力アンプ（１７）に入力させるように前記切替回路（１８ｂ）を制御することで、音量調節手段（１９）の音量設定に関わらず、スピーカー（１５）を所定の音量の排水信号で振動させて、スピーカーグリル（１３）内の浸入水を排水するようにした携帯型無線通信機。
【請求項２】
上記出力アンプ（１７）への排水信号の入力時間を設定するタイマ手段（２２）を備えた請求項１に記載の携帯型無線通信機。
【請求項３】
上記グリル（１３）とそのグリル（１３）の内側に装着した異物侵入防止ネット（１４）との間に排水路（１６）を設けた請求項１または２に記載の携帯型無線通信機。
【請求項４】
上記排水信号の生成をマイクロプロセッサ（２２）のプログラムで行うようにした請求項１乃至３のいずれかに記載の携帯型無線通信機。
【手続補正２】
【補正対象書類名】明細書
【補正対象項目名】０００９
【補正方法】変更
【補正の内容】
【０００９】
上記の課題を解決するため、この発明では、受信した音声信号の音量を調整する音量調整手段と、所定音量の排水信号を生成する排水信号生成手段と、排水動作を制御する制御手段と、前記音量調整手段の出力と排水信号生成手段の出力が入力され、その入力された音量調整手段の出力と排水信号生成手段の出力の一方を制御手段からの切替信号で切り替えて出力する信号切替回路と、前記切替回路の出力が入力される出力アンプと、前記出力アンプの出力が入力されるスピーカーと、前記スピーカーの前面に配置されたスピーカーグリルを備え、前記制御手段は、排水動作を開始すると、排水信号生成手段を作動して排水信号を生成するとともに、切替信号を出力して排水信号生成手段の排水信号を出力アンプに入力させるように前記切替回路を制御することで、音量調節手段の音量設定に関わらず、スピーカーを所定の音量の排水信号で振動させて、スピーカーグリル内の浸入水を排水するようにした構成を採用したのである。
【手続補正３】
【補正対象書類名】明細書
【補正対象項目名】００１０
【補正方法】変更
【補正の内容】
【００１０】
このような構成を採用することにより、排水信号が音量調整手段を経由しないようにしたので、音量調整手段の音量設定に関わらず一定レベルの排水信号を信号切替回路を介して出力アンプへ入力できる。
【手続補正４】
【補正対象書類名】明細書
【補正対象項目名】００１１
【補正方法】変更
【補正の内容】
【００１１】
このとき、上記出力アンプへの排水信号の入力時間を設定するタイマ手段を備えた構成を採用すれば、所定の時間で排水動作を止められるので無駄な電力消費を抑えられる。
【手続補正５】
【補正対象書類名】明細書
【補正対象項目名】００１３
【補正方法】変更
【補正の内容】
【００１３】
また、上記排水信号の生成をマイクロプロセッサのプログラムで行うようにした構成を採用することにより、周波数の変更がプログラムの書き換えで簡単に行える。そのため、例えば、スピーカーの特性や前記グリル内の容量が変わっても簡単に対応できる。